(57)【要約】【課題】低価格化を図ることができるファブリペロレーザを用いて、簡単な構成および低コストで、伝送品質に優れたＰＯＮ技術を用いた光通信システムを提供する。【解決手段】ＯＬＴ送受信器１０と複数のＯＮＵ送受信器１００とが光ファイバを介して接続され、ＯＮＵ送受信器１００からの信号はＯＬＴ送受信器１０により割り当てられたタイミングに基づき発せられるＴＤＭＡ方式を用いた光通信システムにおいて、ＯＮＵ送受信器１００に波長の異なる多モードの光を発振するファブリペロレーザの変調機能付き光源１０４を有し、ＯＬＴ送受信器１０に縦単一モードの光を発振するＤＦＢレーザの変調機能付き縦単一モード光源１６を有し、ＯＮＵ送受信器１００が有する変調機能付き光源１０４と、ＯＬＴ送受信器１０が有する変調機能付き縦単一モード光源１６とを、光ファイバを介して光学的に接続する。【選択図】図１
2010166279.tif 000002
【特許請求の範囲】
【請求項１】
光集線装置と、複数の光ネットワーク装置とを有し、前記光集線装置と前記複数の光ネットワーク装置とが光ファイバを介して接続され、前記光ネットワーク装置からの信号は前記光集線装置により割り当てられたタイミングに基づき発せられる時分割多重方式を用いた光通信システムであって、
前記光ネットワーク装置は、波長の異なる多モードの光を発振する第１のレーザを有し、
前記光集線装置は、縦単一モードの光を発振する第２のレーザを有し、
前記光ネットワーク装置が有する前記第１のレーザと、前記光集線装置が有する前記第２のレーザとが、前記光ファイバを介して光学的に接続されていることを特徴とする光通信システム。
【請求項２】
請求項１記載の光通信システムにおいて、
前記光集線装置は、前記光ネットワーク装置からの信号の強度をモニタする機構をさらに有することを特徴とする光通信システム。
【請求項３】
請求項２記載の光通信システムにおいて、
前記光集線装置は、前記モニタする機構でモニタした信号の強度に対応して前記第２のレーザの出力光の強度を変調する機構をさらに有することを特徴とする光通信システム。
【請求項４】
請求項１記載の光通信システムにおいて、
前記光集線装置は、前記光ネットワーク装置からの信号のスペクトルをモニタする機構をさらに有することを特徴とする光通信システム。
【請求項５】
請求項４記載の光通信システムにおいて、
前記光集線装置は、前記モニタする機構でモニタした信号のスペクトルに対応して前記第２のレーザの出力光の強度を変調する機構をさらに有することを特徴とする光通信システム。
【請求項６】
請求項１記載の光通信システムにおいて、
前記第２のレーザは、分布帰還型半導体レーザであることを特徴とする光通信システム。
【請求項７】
請求項１記載の光通信システムにおいて、
前記第１のレーザと前記第２のレーザとが光学的に接続されている状態では、前記第１のレーザから発せられる信号の波長が前記第２のレーザにより発せられた信号と結合してモードロックされ、前記第２のレーザの波長に固定されることを特徴とする光通信システム。
【請求項８】
複数の光ネットワーク装置と光ファイバを介して接続される光集線装置であって、
前記光ネットワーク装置からの信号は前記光集線装置により割り当てられたタイミングに基づき発せられる時分割多重方式を用い、
縦単一モードの光を発振する第２のレーザを有し、
前記光ネットワーク装置が有する波長の異なる多モードの光を発振する第１のレーザと、前記第２のレーザとが、前記光ファイバを介して光学的に接続されていることを特徴とする光集線装置。
【請求項９】
請求項８記載の光集線装置において、
前記光ネットワーク装置からの信号の強度またはスペクトルをモニタする機構と、
前記モニタする機構でモニタした信号の強度またはスペクトルに対応して前記第２のレーザの出力光の強度を変調する機構とをさらに有することを特徴とする光集線装置。
【請求項１０】
請求項８記載の光集線装置において、
前記第１のレーザと前記第２のレーザとが光学的に接続されている状態では、前記第１のレーザから発せられる信号の波長が前記第２のレーザにより発せられた信号と結合してモードロックされ、前記第２のレーザの波長に固定されることを特徴とする光集線装置。
【発明の詳細な説明】
【技術分野】
【０００１】
本発明は、光集線装置（ＯＬＴ；Ｏｐｔｉｃａｌ  Ｌｉｎｅ  Ｔｅｒｍｉｎａｌ）と複数の光ネットワーク装置（ＯＮＵ；Ｏｐｔｉｃａｌ  Ｎｅｔｗｏｒｋ  Ｕｎｉｔ）とを備えた双方向光通信システムに係り、特に、光アクセス網を構築する際の信号多重化技術として時分割多重方式（ＴＤＭＡ；Ｔｉｍｅ  Ｄｉｖｉｓｉｏｎ  Ｍｕｌｔｉｐｌｅ  Ａｃｃｅｓｓ）を用いた受動型光通信網（ＰＯＮ；Ｐａｓｓｉｖｅ  Ｏｐｔｉｃａｌ  Ｎｅｔｗｏｒｋ）において利用するための光通信システム、及びこれに用いられるＯＬＴ、ＯＮＵに適用して有効な技術に関する。
【背景技術】
【０００２】
本発明者が検討したところによれば、ネットワーク上でサービスが多様化し、ネットワークの利点を活かす新規サービスの利用が拡大している。その代表例として挙げられるのは放送・通信融合サービス、すなわちトリプルプレイサービスと呼ばれる放送・インターネット・電話（音声通信）サービスの統合である。このトリプルプレイサービスを実現するために、アクセス網ではＰＯＮによるＦＴＴＨ（Ｆｉｂｅｒ  Ｔｏ  Ｔｈｅ  Ｈｏｍｅ）システムの構築が主流となってきている。
【０００３】
このＰＯＮによるＦＴＴＨシステムにおいては、複数の加入者が加入者収容局の局舎から光スプリッタまでの光ファイバや局舎内設備を共有して使用することによりコストを分割負担して初期導入コストと管理維持費の低減を行っている。ＰＯＮ技術を用いたＦＴＴＨシステムは、上述の共有メディア型のネットワークであり、加入者が使える帯域は凡そシステムが持つ最大スループットを共有する加入者で割った値であるが、全加入者が同時にアクセスする場合は確率的に稀であるため、統計的な多重効果で加入者は実質的により大きな帯域を使うことができる。このようなＰＯＮによるＦＴＴＨシステムの広帯域性が、快適なトリプルプレイサービス実現のために重要となる。
【０００４】
現行システムとして、ＩＴＵ−ＴでのＧ−ＰＯＮ（非特許文献１〜３）、ＩＥＥＥ標準であるＧＥ−ＰＯＮ（非特許文献４）がある。例えばＧ−ＰＯＮシステムにおいては、２．４Ｇｂｐｓ高速光回線を介し、局舎側装置（ＯＬＴ）がユーザ側装置（ＯＮＵ）を最大６４台収容する。また、次世代のＦＴＴＨシステムとして、１０ＧＥ−ＰＯＮの導入に向け、標準化が進んでいる。
【先行技術文献】
【非特許文献】
【０００５】
【非特許文献１】ＩＴＵ−Ｔ  Ｇ．９８４．１  「Ｇｉｇａｂｉｔ−ｃａｐａｂｌｅ  Ｐａｓｓｉｖｅ  Ｏｐｔｉｃａｌ  Ｎｅｔｗｏｒｋｓ  （Ｇ−ＰＯＮ）：  Ｇｅｎｅｒａｌ  ｃｈａｒａｃｔｅｒｉｓｔｉｃｓ」
【非特許文献２】ＩＴＵ−Ｔ  Ｇ．９８４．２  「Ｇｉｇａｂｉｔ−ｃａｐａｂｌｅ  Ｐａｓｓｉｖｅ  Ｏｐｔｉｃａｌ  Ｎｅｔｗｏｒｋｓ  （Ｇ−ＰＯＮ）：  Ｐｈｙｓｉｃａｌ  Ｍｅｄｉａ  Ｄｅｐｅｎｄｅｎｔ  （ＰＭＤ）  ｌａｙｅｒ  ｓｐｅｃｉｆｉｃａｔｉｏｎ」
【非特許文献３】ＩＴＵ−Ｔ  Ｇ．９８４．３  「Ｇｉｇａｂｉｔ−ｃａｐａｂｌｅ  Ｐａｓｓｉｖｅ  Ｏｐｔｉｃａｌ  Ｎｅｔｗｏｒｋｓ  （Ｇ−ＰＯＮ）：  Ｔｒａｎｓｍｉｓｓｉｏｎ  ｃｏｎｖｅｒｇｅｎｃｅ  ｌａｙｅｒ  ｓｐｅｃｉｆｉｃａｔｉｏｎ」
【非特許文献４】ＩＥＥＥ  ８０２．３ａｈ  「ＣＳＭＡ／ＣＤ  Ａｃｃｅｓｓ  Ｍｅｔｈｏｄ  ａｎｄ  Ｐｈｙｓｉｃａｌ  Ｌａｙｅｒ  Ｓｐｅｃｉｆｉｃａｔｉｏｎｓ  Ａｍｅｎｄｍｅｎｔ：  Ｍｅｄｉａ  Ａｃｃｅｓｓ  ＣＯＮＵｒｏｌ  Ｐａｒａｍｅｔｅｒｓ，  Ｐｈｙｓｉｃａｌ  Ｌａｙｅｒｓ，  ａｎｄ  Ｍａｎａｇｅｍｅｎｔ  Ｐａｒａｍｅｔｅｒｓ  ｆｏｒ  Ｓｕｂｓｃｒｉｂｅｒ  Ａｃｃｅｓｓ  Ｎｅｔｗｏｒｋｓ」
【発明の概要】
【発明が解決しようとする課題】
【０００６】
ところで、前述したような現行システムにおいては、ＰＯＮにおける上り信号波長帯域及び伝送波形品質からの要請により、光加入者側からの信号は分布帰還型半導体レーザ（ＤＦＢレーザ；Ｄｉｓｔｒｉｂｕｔｅｄ  Ｆｅｅｄｂａｃｋ  Ｌａｓｅｒ  Ｄｉｏｄｅ）を用いて発生させる必要がある。一方、ＤＦＢレーザは高価であるため、ファブリペロ型半導体レーザ（ファブリペロレーザとも略す）をＤＦＢレーザの代わりに用いることにより低価格化を図ることができる。しかしながら、ファブリペロレーザはＤＦＢレーザと比較して、発振波長の温度依存性が大きく、縦多モード発振するために伝送による信号劣化が大きいという課題がある。
【０００７】
そこで、本発明の目的は、このような課題を解決し、低価格化を図ることができるファブリペロレーザを用いて、簡単な構成および低コストで、伝送品質に優れたＰＯＮ技術を用いた光通信システムを提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
すなわち、代表的なものの概要は、ＯＬＴと複数のＯＮＵとが光ファイバを介して接続され、ＯＮＵからの信号はＯＬＴにより割り当てられたタイミングに基づき発せられるＴＤＭＡ方式を用いた光通信システムにおいて、ＯＮＵに波長の異なる多モードの光を発振するファブリペロレーザを有し、ＯＬＴに縦単一モードの光を発振するＤＦＢレーザを有し、ＯＮＵが有するファブリペロレーザと、ＯＬＴが有するＤＦＢレーザとを、光ファイバを介して光学的に接続することを特徴とする。
【発明の効果】
【００１１】
本願において開示される発明のうち、代表的なものによって得られる効果を簡単に説明すれば以下のとおりである。
【００１２】
すなわち、代表的なものによって得られる効果は、ファブリペロレーザを有するＯＮＵにより、ＤＦＢレーザを有するＯＮＵと同等の伝送品質を得ることが可能になる。この結果、簡単な構成および低コストで、伝送品質に優れたＰＯＮ技術を用いた光通信システムを提供することが可能となる。
【図面の簡単な説明】
【００１３】
【図１】本発明の光通信システムの一実施の形態によるＰＯＮシステムの構成例を示す図である。
【図２】（ａ），（ｂ）は本発明の光通信システムの一実施の形態によるＰＯＮシステムにおいて、ＯＮＵ内の変調機能付き光源からの送信光信号のスペクトル例を示す図である。
【発明を実施するための形態】
【００１４】
以下、本発明の実施の形態について図面を用いて詳細に説明する。
【００１５】
〔ＰＯＮシステムの構成〕
まず、図１を用いて、本発明の光通信システムの一実施の形態によるＰＯＮシステムの構成例を説明する。図１は、本実施の形態によるＰＯＮシステムの構成例を示す。
【００１６】
本実施の形態によるＰＯＮシステムは、局内側にあるＯＬＴ送受信器１０と、ユーザ側にある複数（図１では代表して１つを図示）のＯＮＵ送受信器１００とを備え、それらの送受信器は、ＯＬＴ送受信器１０に接続されたＯＬＴ側光ファイバ４０、ＯＮＵ送受信器１００の各々に接続されたＯＮＵ側光ファイバ４１、ＯＬＴ側光ファイバ４０と複数のＯＮＵ側光ファイバ４１とを接続する光分岐網部３０によって接続されている。
【００１７】
このＰＯＮシステムは、ＯＮＵ送受信器１００からの信号がＯＬＴ送受信器１０により割り当てられたタイミングに基づき発せられる方式、すなわち信号多重化技術としてＴＤＭＡ方式を用いたＰＯＮにおいて利用するための光通信システムである。
【００１８】
＜ＯＬＴ送受信器の構成＞
ＯＬＴ送受信器１０は、送信側アナログフロントエンド部１１、変調機能付き光源１２、ＷＤＭ（Ｗａｖｅｌｅｎｇｔｈ  Ｄｉｖｉｓｉｏｎ  Ｍｕｔｉｐｌｅｘｉｎｇ、波長分波合波部、分波器／合波器）１３、サーキュレータ１４、縦単一モード光源用アナログフロントエンド部１５、変調機能付き縦単一モード光源１６、光強度分岐器２１、光受信器２２、受信側アナログフロントエンド部２３、受信信号スペクトル及び強度モニタ２４、モニタフィードバック部２５を備える。このＯＬＴ送受信器１０内の各構成要素は以下のように接続され、またそれぞれの主な機能は後述の信号処理手順に記載の通りである。
【００１９】
ＯＬＴ送受信器１０内において、送信側アナログフロントエンド部１１には変調機能付き光源１２が接続され、この変調機能付き光源１２にはＷＤＭ１３が接続されている。このＷＤＭ１３はＯＬＴ側光ファイバ４０に接続される。一方、縦単一モード光源用アナログフロントエンド部１５には変調機能付き縦単一モード光源１６が接続され、この変調機能付き縦単一モード光源１６にはサーキュレータ１４が接続され、このサーキュレータ１４はＷＤＭ１３に接続されている。
【００２０】
また、ＯＬＴ送受信器１０内において、サーキュレータ１４には光強度分岐器２１が接続され、この光強度分岐器２１には光受信器２２が接続され、この光受信器２２には受信側アナログフロントエンド部２３が接続されている。一方、光強度分岐器２１には受信信号スペクトル及び強度モニタ２４が接続され、この受信信号スペクトル及び強度モニタ２４にはモニタフィードバック部２５が接続され、このモニタフィードバック部２５は縦単一モード光源用アナログフロントエンド部１５に接続されている。
【００２１】
＜ＯＮＵ送受信器の構成＞
ＯＮＵ送受信器１００は、ＷＤＭ１０１、光受信器１０２、受信側アナログフロントエンド部１０３、変調機能付き光源１０４、送信側アナログフロントエンド部１０５を備える。このＯＮＵ送受信器１００内の各構成要素は以下のように接続され、またそれぞれの主な機能は後述の信号処理手順に記載の通りである。
【００２２】
ＯＮＵ送受信器１００において、ＯＮＵ側光ファイバ４１が接続されるＷＤＭ１０１には光受信器１０２が接続され、この光受信器１０２には受信側アナログフロントエンド部１０３が接続されている。
【００２３】
また、ＯＮＵ送受信器１００において、送信側アナログフロントエンド部１０５には変調機能付き光源１０４が接続され、この変調機能付き光源１０４はＷＤＭ１０１に接続されている。
【００２４】
＜ＰＯＮシステムの構成の特徴＞
このようなＰＯＮシステムの構成において、特に、ＯＮＵ送受信器１００内の変調機能付き光源１０４には、波長の異なる多モードの光を発振するファブリペロレーザを用いる。また、ＯＬＴ送受信器１０内の変調機能付き縦単一モード光源１６には、縦単一モードの光を発振するＤＦＢレーザを用いる。さらに、受信信号スペクトル及び強度モニタ２４はＯＮＵ送受信器１００からの信号の強度、スペクトルをモニタする機構としての機能を有し、そして、モニタフィードバック部２５はこのモニタした信号の強度、スペクトルに対応して変調機能付き縦単一モード光源１６の出力光の強度を変調する機構としての機能を有する。
【００２５】
〔ＰＯＮシステムの信号処理手順〕
次に、図１を用いて、本実施の形態によるＰＯＮシステムにおいて、信号の流れに沿って、信号が処理される手順を説明する。
【００２６】
＜ＯＬＴからＯＮＵへの下り信号＞
まず、ＯＬＴからＯＮＵへの光信号（下り信号）について説明する。信号は、ＯＬＴ送受信器１０の送信側アナログフロントエンド部１１によって、変調機能付き光源１２で変調を行うための十分な駆動電力を得られるように増幅される。この増幅された信号は、変調機能付き光源１２で変調され、信号光となって出力される。ビットレートが２．５Ｇｂｐｓ程度までであれば、変調機能付き光源１２はレーザを直接変調することで実現できる。また、Ｇ−ＰＯＮ、ＧＥ−ＰＯＮでは変調信号光は、１４９０ｎｍ帯の波長が用いられる。尚、ビットレートが１０Ｇｂｐｓ程度になると、前述の波長分散の影響により、変調機能付き光源１２はレーザと外部ＥＡ変調器を組み合わせる、あるいは集積させることで実現する。また、１０Ｇｂｐｓ  ＰＯＮに用いられる変調信号光は、１５７０ｎｍ帯以上の波長（Ｌバンド）が用いられる。信号光が高出力な場合に変調機能付き光源１２は、光増幅器を付与されたものでも構わない。
【００２７】
一方、ＯＬＴからＯＮＵへの光信号として、ＯＮＵからＯＬＴへの光信号のスペクトルを制御する信号も送信される。縦単一モード光源用アナログフロントエンド部１５によって、十分な駆動電力を得られるように増幅された信号は、変調機能付き縦単一モード光源１６により光信号となって出力される。変調機能付き縦単一モード光源１６の波長は、ＯＮＵからＯＬＴへの光信号に規定された波長であり、Ｇ−ＰＯＮ、ＧＥ−ＰＯＮでは１３１０ｎｍ帯が用いられ、１０Ｇｂｐｓ  ＰＯＮでは１２７０ｎｍ帯が用いられる。変調機能付き縦単一モード光源１６により発生した光信号は、サーキュレータ１４を経由して、変調機能付き光源１２とＷＤＭ１３により合波され、ＯＬＴ側光ファイバ４０に送信される。
【００２８】
このＯＬＴ側光ファイバ４０に送信された光信号は、ＯＬＴ側光ファイバ４０、光分岐網部３０、ＯＮＵ側光ファイバ４１を通り、ＯＮＵ送受信器１００に入力する。ＯＮＵ送受信器１００では、ＷＤＭ１０１で、変調機能付き光源１２から発せられた、例えば、１４９０ｎｍ帯、あるいは１５７０ｎｍ帯の波長成分を分離した後、光受信器１０２にこの信号光を入力する。光受信器１０２は、例えばフォトダイオードを用いることができるが、より詳細には、ＰＩＮ接合された半導体を用いたＰＩＮ型ＰＤ（フォトダイオード）、感度を要求される場合にはＡＰＤ（アバランシェフォトダイオード）等を用いることができる。フォトダイオード等の光受信器１０２から出力した微小な電流の変化は、受信側アナログフロントエンド部１０３で電圧変化に変換、増幅して出力される。一方、変調機能付き縦単一モード光源１６により発せられた光は、ＷＤＭ１０１で、変調機能付き光源１０４に入射され、光学的に結合する。
【００２９】
＜ＯＮＵからＯＬＴへの上り信号＞
次に、ＯＮＵからＯＬＴへの光信号（上り信号）について説明する。ＰＯＮフレーム処理された信号は、ＯＮＵ送受信器１００に入力する。その電気信号は、送信側アナログフロントエンド部１０５によって、変調機能付き光源１０４で変調を行うための十分な駆動電力を得られるように増幅される。この増幅された信号が、変調機能付き光源１０４で変調され、信号光となって出力する。変調機能付き光源１０４はファブリペロレーザであるため、フリーランニングの状態では縦多モード発振する。しかしながら、本構成では、上述したように、変調機能付き縦単一モード光源１６により発せられた光と結合しているため、変調機能付き光源１０４から発せられる信号光の波長は、モードロックされ、変調機能付き縦単一モード光源１６の波長に固定される。この信号光は、ＷＤＭ１０１を透過した後、ＯＮＵ側光ファイバ４１に送信される。
【００３０】
このＯＮＵ側光ファイバ４１に送信された光信号は、光分岐網部３０、ＯＬＴ側光ファイバ４０を通り、ＯＬＴ送受信器１０に入力する。その後、ＯＬＴ送受信器１０で、ＷＤＭ１３を経て、サーキュレータ１４により上り方向の光信号を分離した後、光強度分岐器２１を経て光受信器２２に入力される。光受信器２２は、例えばフォトダイオードを用いることができるが、より詳細には、ＰＩＮ接合された半導体を用いたＰＩＮ型ＰＤ、感度を要求される場合にはＡＰＤ等を用いることができる。フォトダイオード等の光受信器２２から出力した微小な電流の変化は、受信側アナログフロントエンド部２３で電圧変化に変換、増幅されて出力される。
【００３１】
一方、光強度分岐器２１により分岐された一部の光は、受信信号スペクトル及び強度モニタ２４に入力され、上り信号のスペクトル及び強度がモニタされる。モニタされた光信号は、電気信号として出力され、モニタフィードバック部２５に入力される。モニタフィードバック部２５では、スペクトル、信号強度から、変調機能付き縦単一モード光源１６による変調機能付き光源１０４のモードロック状況を検知し、各ＯＮＵからの上り信号が安定な縦単一モードの信号となるように変調機能付き縦単一モード光源１６の出力強度へとフィードバックする。このように、変調機能付き縦単一モード光源１６は、各ＯＮＵに割り当てたタイミングに応じて、強度が変調される。
【００３２】
〔ＯＮＵからの送信光信号のスペクトル〕
次に、図２を用いて、ＯＮＵからの送信光信号のスペクトル例を説明する。図２は、ＯＮＵ内の変調機能付き光源１０４からの送信光信号のスペクトル例を示す（横軸は波長、縦軸は強度）。
【００３３】
変調機能付き光源１０４のスペクトルは、フリーランニングの状態では、図２（ａ）で示すように、ファブリペロレーザ特有の縦多モードとなる。このため、シングルモードファイバの分散が小さい１３００ｎｍ帯においても、シングルモードファイバを伝搬した信号光は分散の影響を受け、波形が劣化する。
【００３４】
しかし、変調機能付き縦単一モード光源１６によりモードロックされた状態の変調機能付き光源１０４のスペクトルは、図２（ｂ）に示すように、縦単一モードのスペクトルを有する。このように、モードロックされた状態では、縦単一モードのスペクトルを有するため、縦多モードのスペクトルを有する信号と比較して、シングルモードファイバの伝搬による分散の影響に起因した波形劣化は小さくなる。
【００３５】
〔本実施の形態の効果〕
以上説明したように、本実施の形態によるＰＯＮシステムによれば、ＯＬＴ送受信器１０内のＤＦＢレーザを有する変調機能付き縦単一モード光源１６と、ＯＮＵ送受信器１００内のファブリペロレーザを有する変調機能付き光源１０４とが光学的に接続される構成により、モードロックされた状態では波形劣化は小さくなるので、優れた伝送品質が得られる。すなわち、ファブリペロレーザを搭載したＯＮＵ送受信器１００により、ＤＦＢレーザを搭載したＯＮＵ送受信器と同等の伝送品質を得ることが可能になる。この結果、伝送品質に優れた、低コストなＰＯＮシステムが実現できる。
【００３６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００３７】
例えば、前記実施の形態で説明した波長帯は、一例を挙げたに過ぎず、本発明は、適宜採用したデバイスに応じて、適宜の波長帯を採用することができる。また、本発明は、ＰＯＮ以外にも各種の光通信システムに適用することができる。
【産業上の利用可能性】
【００３８】
本発明は、ＯＬＴと複数のＯＮＵとを備えた双方向光通信システムに係り、特に、光アクセス網を構築する際の信号多重化技術としてＴＤＭＡ方式を用いたＰＯＮシステムに好適であり、さらに、ＰＯＮ以外に各種の光通信システムにも利用可能である。
【符号の説明】
【００３９】
１０…ＯＬＴ送受信器
１１…送信側アナログフロントエンド部
１２…変調機能付き光源
１３…ＷＤＭ
１４…サーキュレータ
１５…縦単一モード光源用アナログフロントエンド部
１６…変調機能付き縦単一モード光源
２１…光強度分岐器
２２…光受信器
２３…受信側アナログフロントエンド部
２４…受信信号スペクトル及び強度モニタ
２５…モニタフィードバック部
３０…光分岐網部
４０…ＯＬＴ側光ファイバ
４１…ＯＮＵ側光ファイバ
１００…ＯＮＵ送受信器
１０１…ＷＤＭ
１０２…光受信器
１０３…受信側アナログフロントエンド部
１０４…変調機能付き光源
１０５…送信側アナログフロントエンド部
【図１】
2010166279.tif 000003
【図２】
2010166279.tif 000004